(57)【特許請求の範囲】
【請求項１】
ICカード内に保持された金額を表す金額データを移動するためのICカード読取書込端末システムであって、
前記ICカードとの間で前記金額データの移動を可能とする店員用端末と、該店員用端末との間で前記金額データの移動を可能とする店用端末とを含んで構成され、
前記店員用端末は、前記金額データを表示する表示部と、入力及び操作指示を受け付ける操作キー部と、前記ICカードを装着するためのICカードリーダ／ライタと、前記金額データを格納するための店員用記憶部と、前記店用端末と電気的に接続する店用接続部と、この店員用端末を制御する店員用演算処理部とを備え、
前記店用端末は、前記店員用端末を保持するための保持機構部と、前記金額データを格納するための店用記憶部と、前記店員用端末と電気的に接続する店員用接続部と、この店用端末を制御する店用演算処理部とを備え、
前記店員用演算処理部は、前記操作キー部から金額入力を受け付けて、該操作キー部の所定の操作に基づいて前記ICカードから前記操作キー部で入力された金額に対応する前記金額データを前記店員用記憶装置に移動し、
前記保持機構部は、保持状態において、前記店用接続部と前記店員用接続部との接続を可能とし、
前記店用演算処理部は、前記店員用端末との間で金額データの移動を行う処理中は、前記保持機構部をロック状態とする
ことを特徴とするICカード読取書込端末システム。
【請求項２】
前記請求項1記載のICカード読取書込端末システムにおいて、
前記店員用端末は、第2のICカードリーダ／ライタを備え、
前記店員用記憶部は、前記第2のICカードリーダ／ライタでデータの読み書きが可能な第2のICカードであり、
前記店員用演算処理部は、前記店員用端末が前記店用端末に保持された状態で第2のICカードリーダ／ライタから前記第2のICカードの取り外しを可能とする
ことを特徴とするICカード読取書込端末システム。
【請求項３】
前記請求項1記載のICカード読取書込端末システムにおいて、
前記店員用端末は、前記店員用記憶部を有する端末本体部と、前記ICカードリーダ／ライタを備えて前記端末本体部と分離可能な端末分離部とを含んで構成され、
前記ICカードは前記端末分離部内の前記ICカードリーダ／ライタで読み書きが可能である
ことを特徴とするICカード読取書込端末システム。
【発明の詳細な説明】
技術分野
本発明は、電子通貨システムに使用する電子通貨用のリーダ／ライタおよびその操作方法に係わり、特に、持ち運びが可能なリーダ／ライタおよびその操作方法に関するものである。
背景技術
近年、電子通貨を収納したＩＣカード相互間の通信により、電子通貨のやり取りを行う電子通貨システムが提案されている。このシステムに使用するＩＣカードは、その内部に通信機能を有するマイクロプロセッサと、処理プログラム及び電子通貨の残額を格納するＥＥＰＲＯＭ等によるメモリとを備えて構成される。そして、ＩＣカードは、銀行、商店、個人の住宅等に備えられる端末を通信回線を介して任意に接続可能に構成される電子通貨システムを介して、また、専用の端末であるＩＣカード電子財布等を使用することにより、他のＩＣカードとの間で、電子通貨の出し入れが可能である。
従来提案されている、通信回線に接続されたＩＣカード読み取り書き込み端末は、銀行、商店、個人の住宅等に備え付けられたものであり、その持ち運びは容易ではなかった。このため、商店内の様々な場所で使用したり、携帯して商店外でまたは交通機関などで移動しながら使用することは困難であった。また、前述の電子財布は、携帯可能でＩＣカード間の電子通貨のやり取りが可能であるが、通信回線に接続されていないため、離れた場所にあるＩＣカードとの電子通貨のやり取りは不可能であった。
本発明の目的は、前述した電子通貨システムにおいて、携帯可能で、かつ、公衆回線網を介して通信可能な電子通貨用ＰＯＳ端末及びその操作方法を提供することにある。
発明の開示
本発明は、ＩＣカード内に保持された電子通貨を携帯型ＩＣカード読み取り／書き込み端末を介して移動する方法であって、第１および第２のＩＣカードを前記ＩＣカード読み取り／書き込み端末に設けられた第１および第２の挿入口にそれぞれ挿入し、前記第１のＩＣカード内に保持された電子通貨の少なくとも一部の電子通貨を前記第１のＩＣカードから前記第２のＩＣカードに移動し、前記ＩＣカードの読み取り／書き込み端末がドッキングステーションにドッキングされたとき、前記第１のＩＣカードから前記第２のＩＣカードに移動された電子通貨の少なくとも一部の電子通貨を前記第２のＩＣカードから前記ステーションに移動する。このことにより、ステーションから離れた場所にある第１のＩＣカードからの電子通貨の移動を容易に行うことができる。
また、本発明は、ＩＣカード内に保持された電子通貨を移動するための電子通貨用のＩＣカード読み取り／書き込み機において、前記ＩＣカードが挿入される挿入口および金額を入力するためのボタンを有し、通信回線と接続されたステーションとは分離して使用可能であって、かつ、ステーションにセットした際には通信回線を介して電子通貨の移動が可能である。このことにより、通信回線を利用しないでＩＣカード間の電子通貨のやり取りを行う際には本機を持ち運んで使用でき、通信回線を介して電子通貨のやり取りを行うときだけステーションにセットすればよい。
また、本発明は、ＩＣカード内に保持された電子通貨を移動するための電子通貨用のＩＣカード読み取り／書き込み機の操作方法において、ＩＣカード読み取り／書き込み機の本体部から金額が入力されるステップと、本体部と通信可能で、かつ、本体部とは分離されたＩＣカード読み取り／書き込み部に金額が表示されるステップと、ＩＣカード読み取り／書き込み部のＩＣカード挿入口にＩＣカードが挿入されるステップとを有する。このことにより、本体部と分離されたＩＣカード読み取り書き込み部を電子通貨を支払う例えば顧客に確認・操作させることが容易となる。顧客に金額を確認させてＩＣカードを挿入してもらうことができるので電子通貨を使うことへの顧客の不安感を軽減し、信頼度を高めることができる。
また、本発明は、ＩＣカード内に保持された電子通貨を移動するための電子通貨用のＩＣカード読み取り／書き込み機の操作方法において、ＩＣカード読み取り書き込み機の本体部とは分離され、本体部をセットすることにより、通信回線を介して電子通貨の移動が可能なステーションに本体部がセットされるステップと、本体部に挿入されたＩＣカードからステーションに挿入されたＩＣカードまたは通信回線を介して電子通貨を移動する他の電子通貨保持手段に送金する金額が表示されるステップとを有する。このことにより、通信回線を介して電子通貨の移動を行いたいときには本体部をステーションにセットすればよく、また、送金金額を確認することができるので、送金の誤操作を防止することができる。
【図面の簡単な説明】
第１図は本発明によるＩＣカード読み取り書き込み機が適用される電子通貨システムの構成を示すブロック図、第２図〜第４図は本発明の一実施形態による携帯用マネートランスファー端末の外観を示す斜視図、第５図は、本発明の一実施形態による携帯用マネートランスファー端末をドッキングステーションにセットした状態を示す断面図、第６図は、本発明の一実施形態による携帯用マネートランスファー端末の表示部及び入力部を示す図、第７図〜第８図は本発明の一実施形態による携帯用マネートランスファー端末の店舗内における使用形態を示す図、第９図〜第１１図は携帯用マネートランスファー端末及びドッキングステーションの機能構成を示すブロック図、第１２図〜第１４図は本発明の一実施形態による携帯用マネートランスファー端末を使用して、ＩＣカード間で電子通貨のやり取りを行う場合のフローチャート、第１５図は、本発明の一実施形態によるＩＣカードのロックを解除する場合のフローチャートである。また、第１６図は本発明の一実施形態による携帯用マネートランスファー端末をタクシーの車内において使用する形態を示す図、第１７図は携帯用マネートランスファー端末、客用ＩＣカードリーダ／ライタ及びタクシーメータの機能構成を示すブロック図、第１８図は本発明の一実施形態による携帯用マネートランスファー端末を使用して、ＩＣカードと間で電子通貨のやり取りを行う場合のフローチャートである。
発明を実施するための最良の形態
以下、本発明による電子通貨システムにおけるＩＣカード読み取り書き込み機の一実施形態を図面により詳細に説明する。
第１図は本発明によるＩＣカード読み取り書き込み機が適用される電子通貨システムの構成を示すブロック図である。第１図を参照して電子通貨システムの構成を説明する。
第１図において１は銀行営業店システム、２は流通システム、３はエンドユーザーシステム、５は銀行計算機センタ、６は電子通貨発行組織、７は公衆通信網、１０はＩＣカード、１１は外付けＩＣカードリーダ／ライタ、１２は窓口端末、１３は内部通信回線、１４は現金自動預入支払機、１５は電子金庫、１６は電子通貨トランザクション制御端末、１７はリレーコンピュータ、２１は電子通貨用ＰＯＳ端末、２２はＰＯＳ端末、２３はストアコントローラー、２４はセンタ装置、２５は情報制御システム、２６はワークステーション、２７は携帯用マネートランスファー端末（以下、ハンデイマネトラと呼ぶこともある）、２８はドッキングステーション、３１は電子財布、３２はパソコン、３３はＰＣカード型カードリーダ／ライタ、３４はＩＣカード電話機、５１は勘定系システムホスト、５２は外接系システム、５３は外接系制御端末である。
第１図に示す電子通貨システムは、公衆通信網７に、銀行営業店システム１、小売店、レストラン、サービス業者等の店舗に設けられる流通システム２、エンドユーザーシステムとしてのパソコン３２、ＩＣカード電話機３４等が接続されて構成されている。図示例では、代表的なシステムがそれぞれ１システムずつ示されているが、多数のシステムが公衆通信網７に接続されて構成することができる。また、銀行営業店システムは、専用回線等により銀行計算機センタ５に接続され、銀行計算機センタ５には、電子通貨発行組織６が接続されている。
ＩＣカード１０は、その内部に通信機能を有するマイクロプロセッサと、処理プログラム及び電子通貨の残額を格納するＥＥＰＲＯＭ等によるメモリとを備えて構成され、エンドユーザである個人が所持すると共に、電子通貨システムに参加する銀行、店舗等により所持される。
銀行営業店システム１は、窓口端末１２、現金自動預入支払機１４が内部通信回線１３を介して接続され、さらに、リレーコンピュータ１７を介して銀行計算機センタ５に接続されて構成されているが、電子通貨決裁のために、窓口端末１２にＩＣカードリーダ／ライタ１１が設けられ、現金自動預入支払機１４には、ＩＣカードリーダ／ライタが内蔵され、また、電子通貨トランザクション制御端末を介して電子金庫１５が接続されて構成される。
銀行計算機センタ５は、勘定系システムホスト５１と、外接系システム５２とにより構成され、外接系システム５２は、外接系制御端末５３、リレーコンピュータ１７、電子金庫１５が備えられて構成されている。
流通システム２は、通常、ＰＯＳ端末が、内部通信回線１３、ストアコントローラー２３を介してセンタ装置２４に接続されて構成されるが、電子通貨決裁のために、通常のＰＯＳ端末には外付けのＩＣカードリーダ／ライタ１１が設けられ、あるいは、電子通貨用ＰＯＳ端末２１を使用して構成される。また、センタ装置２４は、情報制御システム２５、ワークステーション２６、電子金庫１５を備えて構成されている。
エンドユーザシステム３は主に個人ユーザシステムであり、簡単にはＩＣカード内の電子通貨の残高を表示することのできる電子財布だけでよい。この電子財布３１には、電卓等の機能を加えることの可能である。また、パソコン３２は、個人が所有するものに、電子通貨決裁のために、ＰＣ型カードリーダ／ライタ３３を設けて、公衆通信網７と接続可能に構成される。また、通常の電話機に電子通貨を収納するＩＣカード１０に対する処理機能を備えたＩＣカード電話機３４を使用することもできる。
前述のエンドユーザーシステム３におけるパソコン３２、ＩＣカード電話装置３４は、その内部に２枚のＩＣカードに対する２組のカードリーダ／ライタを設けることにより、２枚のＩＣカード相互間で電子通貨のやり取りを行うことができる。これにより、例えば、ご主人のＩＣカード内の電子通貨を、奥様のＩＣカードに移す等の、通常の現金を取り扱う場合と同様な処理を行わせることができる。
次に、前述したように構成される本発明が適用される電子通貨システムの利用方法を説明する。
システムに参加する銀行、商店、自動販売機、個人等には、電子通貨発行組織６からＩＣカード１０が配布され、また、銀行は、通常に流通している現金と交換に電子通貨を受け取り、外接系システム５２内に設けられる電子金庫１５内に格納する。この電子金庫１５は、後述するように、その内部に多数のＩＣカード１０を格納しており、各カード１０には、電子通貨発行組織から受け取った電子通貨が分配されて収納される。外接系システム５２における電子金庫１５内のＩＣカードに収納される電子通貨は、各銀行営業店に設置されている銀行営業店システム１における電子金庫１５内のＩＣカード１０に分配される。
電子通貨システムに参加するエンドユーザーとしての個人は、配布されたＩＣカード１０を所持し、銀行営業店システム１の窓口端末１２、現金自動預入支払機１４により、銀行に持つ自己の口座の預金を電子通貨に交換して引き下ろして、自己のＩＣカード１０内に収納する。また、所有するＰＣカード型リーダ／ライタ３３を有するパソコン３２、または、ＩＣカード電話機３４を、公衆通信網７を介して銀行営業店システム１に接続して、前述の場合と同様に、銀行に持つ自己の口座の預金を電子通貨に交換して引き出し、自己のＩＣカード１０内に収納することができる。
前述の電子通貨の引き出しの際、個人の所持するＩＣカードは、自カード内に有する通信機能により、窓口端末１２、現金自動預入支払機１４、パソコン３２、または、ＩＣカード電話機３４のリーダ／ライタを介して、銀行営業店システム１内の電子金庫１５内のＩＣカードと接続される。そして、電子通貨トランザクション制御端末１６の制御の下に、銀行営業店システム１内の電子金庫１５内のＩＣカード１０に収納されている電子通貨が個人の所持するＩＣカード１０内に収納される。このとき、銀行営業店システム１内の電子金庫１５内のＩＣカード１０に収納されている電子通貨の残高は、個人の所有するＩＣカード１０内に収納した分だけ減額される。また、個人の口座からの引き下ろしは、従来から行われていたと同様に行われる。
前述では、個人が所持するＩＣカードにその個人の銀行口座の預金を引き下ろして収納するとして説明したが、現金を銀行の窓口または、電子通貨発行組織の窓口に持っていき、そこでＩＣカードに収納してもらうこともできる。
また、ＩＣカード内の電子通貨は、前述とは逆に、窓口端末１２、現金自動預入支払機１４、パソコン３２を介して、銀行営業店システム１内の電子金庫１５内のＩＣカードに返却し、同時に自己の口座に預入することができる。
前述のようにして、電子通貨を自己のＩＣカード１０内に収納したユーザは、各種商店等において、そのＩＣカードを現金と同様に使用して商品の買い物を行い、また、各種のサービスを受けることが可能である。
今、電子通貨を自己のＩＣカード１０内に収納したユーザが、商店で買い物を行い、支払いのためＰＯＳ端末のカウンタに買い上げた商品を持ち込んだものとする。扱い者は、通常の取引の場合と同様に、バーコード等を読み込ませることにより、商品の売値をＰＯＳ端末２１または２２から入力し、その合計を演算させて顧客に請求する。
顧客が現金の代わりに電子通貨が収納されたＩＣカードにより支払う場合、顧客は、そのＩＣカードを、電子通貨用ＰＯＳ端末２１のカード挿入口、または、通常のＰＯＳ端末２２に接続されたＩＣカードリーダ／ライタ１１に挿入する。これにより、顧客のＩＣカードとその商店のセンタ装置２４に設置されている電子金庫１５内のＩＣカードの１枚とが内部通信回線１３、ワークステーション２６とを介して接続され、顧客のＩＣカード内の電子通貨がセンタ装置２４に設置されている電子金庫１５内のＩＣカードの１枚に移され、ＰＯＳ端末からレシートが出力されて、買い物による支払いの処理が終了する。この場合、顧客のＩＣカード内の電子通貨は、買い物に使用された分だけ減額され、商店のＩＣカードの電子通貨に加算される。
前述では、多数のＰＯＳ端末と、センタ装置２４に多数のＩＣカードを格納した電子金庫を備える流通システムにおいて、商品の取引代金を支払うものとして説明したが、個人商店等で、１台の入金機のみを備えるようなシステムの場合、入金機に顧客のＩＣカードのためのＩＣカードリーダ／ライタを設け、また、入金機の内部に、その商店が所持するＩＣカードを持たせることにより、この商店が所持するＩＣカードと、ＩＣカードリーダ／ライタを介して接続される顧客のＩＣカードとの間で、電子通貨による支払いを行うことができる。そして、商店が所持するＩＣカード内の電子通貨は、前述したように、銀行の口座に入金することができ、あるいは、銀行の窓口で現金化することもできる。
さらに、前述したＰＯＳ端末を有する流通システムにおいて、システムの構築方法として、各ＰＯＳ端末にＩＣカードを持たせ、顧客のＩＣカードとの間の金銭授受を、いったん、このＰＯＳ端末内のＩＣカードと顧客のＩＣカードとの間で行い、必要に応じて、ＰＯＳ端末からセンタ装置２４の電子金庫１５内のＩＣカードに移すようにすることができる。
次に、前述のように電子通貨システムに使用される本発明の携帯用マネートランスファー端末の一実施形態を図面により説明する。
第２図は、本発明の一実施形態による携帯用マネートランスファー端末の外観を示す斜視図である。第２図において、１０１は本体部、１０２は表示部、１０３は商品／メニューキー、１０４はテンキー及び機能キー、１０５はプリンタ、１０６はレシート、１０７はケーブル、１０８はＩＣカードリーダ／ライタ、１０９は確認ボタン、１１０はチップボタン、１１１は客用ＩＣカード挿入口、１１２は店員用ＩＣカード挿入口である。
第３図は、本発明の他の一実施形態による携帯用マネートランスファー端末の外観を示す斜視図である。
第４図は、本発明の一実施形態による携帯用マネートランスファー端末をドッキングステーションにセットした状態を示す斜視図である。第４図において、１１３は店用ＩＣカード挿入口である。
第５図は、本発明の一実施形態による携帯用マネートランスファー端末をドッキングステーションにセットした状態を示す断面図である。
第５図において、１１４は商品／メニューボタン、テンキー、チップボタン等を含む入力部、１１５はプリント基板、１１６はＩＣカード読み書き部、１１７は演算処理部、１１８は接続部、１１９は保持機構、１２０は通信モデム、１２１は公衆回線またはＬＡＮに接続するケーブル、１２２はメモリである。
第６図は、本発明の一実施形態による携帯用マネートランスファー端末の表示部及び入力部を示す図である。第６図において、１２３は電源ＯＮ／ＯＦＦボタン、１２４はロックボタン１２５は残高表示ボタン、１２６は履歴表示ボタン、１２７は払い戻しボタン、１２８はテンキー、１２９は実行ボタン、１３０は合計ボタン、１３１はメニューボタン、１３２は増加キー、１３３は減少キー、１３４はプリントボタンである。
第７図及び第８図は本発明の一実施形態による携帯用マネートランスファー端末の店舗内における使用形態を示す図である。第７図において、１３５は店員、１３６は客である。第８図において、１３９は接続端末である。
本発明の一実施形態による携帯用マネートランスファー端末２７は、第２図に示すように、本体部１０１とプリンタ１０５及びケーブル１０７等を介して本体部と通信可能な、本体とは分離されたＩＣカードリーダ／ライタ１０８により構成される。本体部１０１には、表示部１０２、客が買い上げた商品やメニュー等を入力するための商品／メニューキー１０３、テンキー及び機能キー１０４及び客と応対する店員のＩＣカードを挿入するための店員用ＩＣカード挿入口１１２が設けられ、さらに、レシート１０６を印刷するためのプリンタ１０５が接続されている。また、本体部とは分離された客用ＩＣカードリーダ／ライタ１０８には、表示部１０２、客が支払金額を確認し、決裁するための確認ボタン１０９、店員に支払うチップの額を決定するためのチップボタン１１０が設けられている。
第３図は、本体と分離されたＩＣカードリーダ／ライタを持たない例を示し、客用ＩＣカード挿入口１１１は本体部の側面に設けられる。この場合、図に示すＩＣカードリーダ／ライタ１０８に設けられた表示部１０２、確認ボタン１０９、チップボタン１１０は、本体部に設けられた表示部１０２、機能キー１０４で兼用する。このような構成をとることにより、携帯用マネートランスファー端末をよりコンパクトで持ち運びやすくすることができる。
第４図に示すように、携帯用マネートランスファー端末をドッキングステーションにセットした状態においては、店員用ＩＣカード挿入口１１２から挿入したＩＣカードまたは客用ＩＣカード挿入口１１１から挿入したＩＣカードと店用ＩＣカード挿入口１１３から挿入したＩＣカードとの間で電子通貨のやり取りが可能である。また、公衆回線またはＬＡＮに接続するケーブル１２１を介して店用ＩＣカード内に収納された電子通貨を電子金庫内のＩＣカードに移したり、銀行の口座に入金することができる。
携帯用マネートランスファー端末をドッキングステーションにセットした状態の断面は第５図に示すようになっている。店員用ＩＣカード挿入口１１２より挿入されたＩＣカードの情報をカード読み書き部１１６により読み取り、演算処理部１１７により計算し、接続部１１８を介してドッキングステーション側に情報を伝達する。ドッキングステーションでは、受け取った情報を演算処理部１１７で処理してカード読み書き部１１６により店用ＩＣカード挿入口１１３に挿入されたＩＣカードに書き込む。また、上述と全く逆の動作、即ち、店用ＩＣカード挿入口１１３に挿入されたＩＣカードの情報を読み取り、店員用ＩＣカード挿入口１１２に挿入されたＩＣカードに書き込む動作を行う。また、モデム１２０及びケーブル１２１を介して公衆回線またはＬＡＮに接続し、ＩＣカードに収納された電子通貨を銀行の口座や電子金庫内のＩＣカード等に送金することができる。さらに、電子通貨のやり取り等の履歴をメモリ１２２に記録する。
携帯用マネートランスファー端末をドッキングステーションにセットして、電子通貨のやり取りを行っている間は、保持機構１１９が作動して、携帯用マネートランスファー端末とドッキングステーションとが外れないように保持する。通信中にショックなどによりセットが外れて通信不良となるのを防止するためである。
また、携帯用マネートランスファー端末をドッキングステーションにセットした状態においては、例えば、客に返金したい場合等、店用ＩＣカード挿入口１１３に挿入したＩＣカードと客用ＩＣカード挿入口１１１に挿入したＩＣカードとの間で電子通貨のやり取りを行うこともできる。
携帯用マネートランスファー端末及び客用ＩＣカードリーダ／ライタの表示部１０２と入力部１１４は第６図のように構成されている。例えば、レストランで使用する端末の商品／メニューキー１０３には、カレー、コーラ等のその店で取り扱うメニューが表示されており、店員は客の注文を取る際にこのキーにより入力する。端末に無線通信機能を持たせれば、注文内容を厨房に無線で通信することができる。会計の際には、注文したメニュー（商品）の金額とチップの額および合計金額が表示部１０２に表示される。客用カードリーダ／ライタの表示部１０２にも同様の内容が表示される。チップの額は、図示例では、あらかじめ所定の額を表示しており、客が、客用ＩＣカードリーダのチップボタン１１０を操作することにより、その額を増減する。この他、例えば、１０％、１５％等のボタンを客用ＩＣカードリーダに設けておき、客がいずれかのボタンを選択して押すことによりチップの額を決定するようにしてもよい。チップの額は客が決定するものである。このため、本体部と分離した客用ＩＣカードリーダ／ライタにチップボタンを設けると、客がチップの額を入力しやすいので客の労力を軽減でき、また、満足度を高めることができる。チップの不要な店舗等では、チップ額の表示及びチップボタンの設置は不要である。また、この他、税金額等を表示することも可能である。さらに、表示部１０２の表示項目は、端末側と客用ＩＣカードリーダ側とで変えることもできる。
携帯用マネートランスファー端末及びドッキングステーションは、例えばレストラン等では、第７図に示すような形態で使用される。店員１３５は、少なくとも端末の本体部１０１を持ち歩き、客１３６から注文を取ったり、客１３６から商品の代金等を電子通貨により受け取ったり、または、端末をドッキングステーション２８に接続して、端末のＩＣカードに収納された電子通貨をドッキングステーションのＩＣカードに移したりする。客１３６は、商品代金の支払い等の際に客用ＩＣカードリーダ／ライタ１０８に自己のＩＣカードを挿入し、表示された金額を確認後、確認ボタン等を自分で操作することにより、電子通貨の決裁を行う。客用カードリーダ／ライタ１０８は、ケーブル１０７で端末と接続した状態で店員が持ち歩いてもよいし、あらかじめ客のテーブル等に設置しておき、必要なときだけ端末と接続して使用してもよい。また、レシートを印刷するためのプリンタ１０５は、端末本体部１０１に接続されていてもよいし、ドッキングステーション２８に接続しておいてもよい。
第８図に示すように、店内の複数箇所に接続端末１３９を設置しておき、いずれかの接続端末に携帯用マネートランスファー端末をセットすることにより、後述するコントロールセンタ内の店用ＩＣカードに携帯用マネートランスファー端末内のＩＣカードに収納された電子通貨を移動させることができる。コントロールセンタは公衆回線またはＬＡＮに接続されており、店用ＩＣカードに収納された電子通貨を銀行へ送金したり電子金庫へ収納することができる。このように、複数の接続端末を設置することは、店員数が多い場合や店舗面積が広い場合に電子通貨の送金や収納が効率よく行える効果がある。また、携帯用マネートランスファー端末の数とドッキングステーションまたは接続端末の数は、必ずしも１対１にする必要はなく、携帯用マネートランスファー端末の方が多くてもよいし、その逆でもよい。携帯用マネートランスファー端末の方が多い場合は、主に店員数の多い店舗に有効であり、その逆にドッキングステーションまたは接続端末の方が多い場合は、主に店舗が広い場合に有効である。
第９図は、第４図に示した携帯用マネートランスファー端末及びドッキングステーションの機能構成を示すブロック図である。１３７は金額情報記憶部、１３８はＩＤ番号記憶部である。他の符号は第１図から第８図の場合と同様である。
第１０図は、第３図に示した携帯用マネートランスファー端末をドッキングステーションにセットした状態の機能構成を示すブロック図である。符号は第１図から第９図の場合と同様である。
第１１図は、第８図に示した接続端末１３９に携帯用マネートランスファー端末をセットした状態に機能構成を示すブロック図である。１４０はコントロールセンタ、１４１は回線制御部である。他の符号は第１図から第１０図の場合と同様である。
次に、前述したように構成される携帯用マネートランスファー端末を使用してＩＣカード内の電子通貨をやり取りする場合の動作例について説明する。
第１２図は本発明の一実施形態による携帯用マネートランスファー端末を使用して、店員用ＩＣカードと客用ＩＣカードとの間で電子通貨のやり取りを行う場合のフローチャートであり、以下、これについて説明する。
まず、電源ボタン１２３を押して電源をＯＮにして、操作を開始する。店員は、テンキー１２８または商品／メニューキーを操作して客の注文や買い上げ商品の金額を入力する。すると、携帯用マネートランスファー端末及び客用ＩＣカードリーダ／ライタの表示部１０２に金額が表示される。ここでチップを支払う場合には客が客用ＩＣカードリーダ／ライタのチップボタン１１０を操作してチップの額を設定する。そして、チップをも含めた金額を確認し、ＩＣカードを客用ＩＣカード挿入口１１１へ挿入する。ここで、客は、客のＩＣカードのロックが解除されているかどうか確認する。ロックが解除されていない場合には、携帯用マネートランスファー端末に備えられた、あるいは電子財布等の別個のロック解除デバイスにより暗証番号を入力してロックを解除する。その後、客が確認ボタン１０９を押下することにより表示部１０２に表示された金額の電子通貨が客のＩＣカードから店員のＩＣカードに転送される。店員は、プリンタ１０５によりレシート１０６を印刷すると共に客のＩＣカードを排出して返却する。さらに印刷されたレシートと商品を客に渡す。レストランの場合には、商品、即ち、料理は既に客に供給されている場合もある。電源ボタン１２３をＯＦＦにして操作を終了する。
第１３図は本発明の一実施形態による携帯用マネートランスファー端末及びドッキング端末を使用して、店員用ＩＣカードと店用ＩＣカードとの間で電子通貨のやり取りを行う場合のフローチャートであり、以下、これについて説明する。
携帯用マネートランスファー端末の電源をＯＮにしてドッキングステーションに接続すると店員用ＩＣカードの残高が確認され、チップを除いた、店用ＩＣカードに送金すべき金額を計算する。チップの額を店用ＩＣカードに送金すべき金額とは別に記録しておき、店用ＩＣカードに送金すべき金額を店用ＩＣカードに送金し、チップは店員用ＩＣカードに残すためである。また、ＩＣカードには電子通貨を分けて収納するための数個のポケットを設けることができ、店の売上金と店員のチップとを別のポケットに収納することが可能である。送金金額が表示されるので、店員は送金ＯＫか否かを判断し、ＯＫであればＯＫボタンを、そうでなければクリアボタンを押下する。ＯＫボタンが押下されると店員のＩＣカードから店のＩＣカードへの電子通貨の送金が行われる。ここで、送金の際に携帯用マネートランスファー端末とドッキングステーションとが外れないように保持機構１１９が作動する。この保持機構の作動のタイミングはＯＫボタン押下前でも押下後であってもよい。送金処理が終了すると保持機構１１９が解除され、処理が終了する。このとき、自動的に公衆回線網やＬＡＮを介して店用ＩＣカードに収納された電子通貨を銀行や電子金庫等に送金することもできる。また、店用ＩＣカードを経由することなく直接電子通貨を銀行や電子金庫に送金することも可能である。この場合には、店用ＩＣカード挿入口やカード読み書き部を設ける必要がなく、装置を簡素化することができる。なお、携帯用マネートランスファー端末がドッキングステーションに接続されていない場合には第１３図の右側に示したように客用ＩＣカードから店員用ＩＣカードへの送金が行われ、その手順は、第１２図のフローチャートで説明したのと同様である。
第１４図は第１３図と同様に本発明の一実施形態による携帯用マネートランスファー端末及びドッキング端末を使用して、店員用ＩＣカードと店用ＩＣカードとの間、または客用ＩＣカードと店員用ＩＣカードとの間で電子通貨のやり取りを行う場合のフローチャートであり、以下、これについて説明する。
客用ＩＣカードから店員用ＩＣカードに電子通貨を送金する場合に、表示された送金金額を確認した後、ＯＫボタンを押下する例を第１２図の説明で示した。これに代えて、客用ＩＣカードを客用ＩＣカード挿入口に挿入する操作をＯＫボタンを押下する操作に代用することができる。即ち、第１４図の右側にそのフローを示したように、表示された送金金額を確認した後、送金ＯＫならば客用ＩＣカードを挿入し、ＯＫでなければクリアボタンを押下する。他の操作手順は第１３図と同様である。この方式は第３図に示したような、分離された客用ＩＣカードリーダ／ライタを有しない携帯用マネートランスファー端末を使用する際に採用することもできる。操作を一段階減らすことができるので、電子通貨のやり取りを短時間で行うことができる。また、分離された客用ＩＣカードリーダ／ライタを有する場合にも確認ボタン１０９を設ける必要がないので装置を簡素化でき、低コストかが図れると共に、操作を一段階減らすことができるので電子通貨のやり取りを短時間で行うことができる。
第１３図及び第１４図に示したように、携帯用マネートランスファー端末がドッキングステーションに接続されているか否かにより、電子通貨の送金方向が制約される。即ち、携帯用マネートランスファー端末がドッキングステーションに接続されていないときは、客用ＩＣカードから店員用ＩＣカードに電子通貨が移動する方向にのみ送金が許され、接続されているときは、店員用ＩＣカードから店用ＩＣカードに電子通貨が移動する方向にのみ送金が許される。このことにより、店用ＩＣカードがドッキングステーションに、店員用ＩＣカードが携帯用マネートランスファー端末に格納されている状態では、店の売上金が店員用ＩＣカードや客用ＩＣカード、または他のＩＣカードに移動されることがない（後述する返金の場合を除く）。また、店員用ＩＣカードに収納された電子通貨が、客用ＩＣカードや他のＩＣカードに移動されることもない。従って、電子マネーの盗難等を防止でき、安全性の点で優れている。
第１５図は、本発明の一実施形態による店員用ＩＣカードと店用ＩＣカードとの間で電子通貨のやり取りを行うために店員用ＩＣカードのロックを解除する場合のフローチャートであり、以下、これについて説明する。
店員用ＩＣカードが格納されている携帯用マネートランスファー端末のロックボタン１２４を押下すると、端末がドッキングステーションに接続されている場合には、カード読み書き部１１６が店員用ＩＣカードのＩＤ番号を読み取る。ＩＤ番号が登録済みのものである場合はそのままロックが解除される。ＩＤ番号が登録済みでない場合には暗証番号の入力指示の表示をする。暗証番号が入力され、一致した場合にはロックが解除される。暗証番号が一致しない場合はロック解除が不可能である旨の表示をする。また、携帯用マネートランスファー端末がドッキングステーションに接続されていない場合にもロック解除が不可能である旨の表示をする。このような方式とすることにより、店員用ＩＣカードが携帯用マネートランスファー端末に格納された状態では、店員用ＩＣカードからの電子通貨の引き出しはドッキング端末に接続している場合にのみ可能となる。従って、店員が客と応対している際に誤って、店員用ＩＣカードから客用ＩＣカードに電子通貨を送金したり、店用ＩＣカード以外のカードに送金したりするのを防止することができる。第１５図のフローチャートに示した他にも、携帯用マネートランスファー端末をドッキングステーションに接続すると無条件に店員用ＩＣカードのロックを解除する方法を採用してもよい。この方法によれば、ロック解除ボタンの操作及び暗証番号入力の操作を削減できるので、短時間で店員用ＩＣカードのロックを解除でき、速やかに電子通貨のやり取りを行うことができる。また、携帯用マネートランスファー端末をドッキングステーションに接続すると共に、必ず暗証番号を入力する方法を採用することもできる。この方法によれば、例えば複数の店員が複数の携帯用マネートランスファー端末を使用する場合に、誤って他の店員のＩＣカードが格納された携帯用マネートランスファー端末をドッキングステーションに接続してもロックが解除されない。また、店員でないものが接続した場合にも暗証番号を知らない限りロックが解除されない。このため、ロック解除操作を慎重、確実に行うことができ、安全性をより高めることができる。
第１６図は、本発明の一実施形態による携帯用マネートランスファー端末をタクシーの車内において使用する形態を示す図である。第１６図において、１４２はタクシーメータ、１４３は支持台である。支持台１４３を介してタクシーメータ１４２携帯用マネートランスファー端末２７が接続され、客が操作可能な位置に客用ＩＣカードリーダ／ライタ１０８が設置されている。客用ＩＣカードリーダ／ライタ１０８は、客の操作が必要なときだけ客に渡し、それ以外の時は携帯用マネートランスファー端末２７の近傍に配置しておいてもよい。
第１７図は、第１６図に示した携帯用マネートランスファー端末、客用ＩＣカードリーダ／ライタ及びタクシーメータの機能構成を示すブロック図である。１４４は走行時間計測部、１４５は走行距離計測部である。他の符号は第１図から第１６図の場合と同様である。
第１８図は第１６図及び第１７図に示した本発明の一実施形態による携帯用マネートランスファー端末を使用して、タクシーのドライバ用ＩＣカードと客用ＩＣカードとの間で電子通貨のやり取りを行う場合のフローチャートであり、以下、これについて説明する。
まず、電源ボタン１２３を押して電源をＯＮにして、操作を開始する。ドライバがテンキー１２８を操作することによりまたはタクシーメータ１４２から自動的に金額を入力する。すると、携帯用マネートランスファー端末及び客用ＩＣカードリーダ／ライタの表示部１０２に金額が表示される。ここでチップを支払う場合には客が客用ＩＣカードリーダ／ライタのチップボタン１１０を操作してチップの額を設定する。そして、チップをも含めた金額を確認し、ＩＣカードを客用ＩＣカード挿入口１１１へ挿入する。ここで、客は、客のＩＣカードのロックが解除されているかどうか確認する。ロックが解除されていない場合には、携帯用マネートランスファー端末に備えられた、あるいは電子財布等の別個のロック解除デバイスにより暗証番号を入力してロックを解除する。その後、客が確認ボタン１０９を押下することにより表示部１０２に表示された金額の電子通貨が客のＩＣカードからドライバのＩＣカードに転送される。ドライバは、プリンタ１０５によりレシート１０６を印刷すると共に客のＩＣカードを排出して返却する。さらに印刷されたレシートと客に渡す。電源ボタン１２３をＯＦＦにして操作を終了する。ドライバは、走行を終えて事務所に戻った際に事務所に設置されたドッキングステーションに携帯用マネートランスファー端末をセットして、第１３図の説明で述べた方法によりドライバ用ＩＣカード内に収納された電子通貨をタクシー会社のＩＣカードに送金する。
本発明の一実施形態である携帯用マネートランスファー端末をタクシーに応用する場合にも、第３図に示したような客用ＩＣカードリーダ／ライタを別個に設けないものを用いてもよく、また、操作方法についても前述したいずれの方法を適用してもよい。
産業上の利用可能性
本発明は、電子通貨システムに使用する電子通貨用ＰＯＳ端末に利用可能であり、特に、広い商店や交通機関等の持ち運んで使用する頻度の高い場所に備える電子通貨用ＰＯＳ端末に適している。
【図１】
0003866773.tif 000002
【図２】
0003866773.tif 000003
【図３】
0003866773.tif 000004
【図４】
0003866773.tif 000005
【図５】
0003866773.tif 000006
【図６】
0003866773.tif 000007
【図７】
0003866773.tif 000008
【図８】
0003866773.tif 000009
【図９】
0003866773.tif 000010
【図１０】
0003866773.tif 000011
【図１１】
0003866773.tif 000012
【図１２】
0003866773.tif 000013
【図１３】
0003866773.tif 000014
【図１４】
0003866773.tif 000015
【図１５】
0003866773.tif 000016
【図１６】
0003866773.tif 000017
【図１７】
0003866773.tif 000018
【図１８】
0003866773.tif 000019